(57)【特許請求の範囲】
【請求項１】
基板に光源が取り付けられ、該光源から出射された光束を光学記録媒体に向けて出射し、該光学記録媒体からの帰還光束を検出する光ピックアップ装置において、前記基板に該基板の上面に対して直交する方向に延びる軸を回転軸として該基板に対して固定前に回転による移動調整可能な支持部を取り付け、該支持部に前記基板の上面と平行方向に光束が出射するように前記光源を取り付けたことを特徴とする光ピックアップ装置。
【請求項２】
前記支持部は前記基板の上面と平行な方向に移動調整可能であることを特徴とする請求項１記載の光ピックアップ装置。
【請求項３】
前記支持部は前記基板の下面側に露出する部分に、該支持部を移動させるための治具が嵌合する部分を有することを特徴とする請求項１又は２記載の光ピックアップ装置。
【請求項４】
前記支持部上にヒートシンクが取り付けられ、該ヒートシンク上に前記光源が取り付けられいることを特徴とする請求項１、２又は３記載の光ピックアップ装置。
【請求項５】
前記支持部が導電性材料よりなることを特徴とする請求項１、２、３又は４記載の光ピックアップ装置。
【請求項６】
前記支持部が前記基板と同程度若しくは前記基板よりも熱伝導性の高い材料よりなることを特徴とする請求項１、２、３、４又は５記載の光ピックアップ装置。
【請求項７】
前記支持部が配線部を有するリードフレームに接していることを特徴とする請求項１、２、３、４、５又は６記載の光ピックアップ装置。
【請求項８】
光学記録媒体から光学的に情報を読み出す光学記録媒体駆動装置であって、前記光学記録媒体を回転させる回転駆動部と、前記光学記録媒体に光束を出射し、前記光学記録媒体からの帰還光束を入射する請求項１、２、３、４、５、６又は７記載の光ピックアップ装置とからなることを特徴とする光学記録媒体駆動装置。
【請求項９】
基板に出射光束が前記基板の上面に対して平行になるように光源が取り付けられ、該光源から出射された光束を光学記録媒体に向けて出射し、該光学記録媒体からの帰還光束を検出する光ピックアップ装置の組み立て方法において、前記光源が取り付けられた支持部を前記基板の上面に対して直交する方向に延びる軸を回転軸として前記基板に対して回転による移動調整した後、前記支持部を前記基板に固定することを特徴とする光ピックアップ装置の組み立て方法。
【請求項１０】
前記移動調整を前記基板の上面と平行な方向に行うことを特徴とする請求項９記載の光ピックアップ装置の組み立て方法。
【発明の詳細な説明】
【０００１】
【発明の属する技術分野】
本発明は光ピックアップ装置、光学記録媒体駆動装置及び光ピックアップ装置の組み立て方法に関する。
【０００２】
【従来の技術】
近年、光ピックアップ装置の小型軽量化及び低価格化の要求に伴って、ホログラム素子を用いた光ピックアップ装置の研究開発が行われており、例えば、特開平８−１２４２０５号公報等にこの種の光ピックアップ装置が開示されている。
【０００３】
図１４、図１５、図１６は本出願人が特願平９−３５９７５６号で提案した光ピックアップ装置の概略構成を示す図であり、図１４は斜視図、図１５は分解斜視図、図１６は側断面図である。尚、図面には、各々の図面の３次元的方向が明確になるようにｘ軸、ｙ軸、ｚ軸を記している。
【０００４】
この光ピックアップ装置は、樹脂モールドよりなる下フレーム部１１Ａ、上フレーム部１１Ｂ、ホログラム保持部１１Ｃを接着固定することにより投受光ユニットが構成されている。下フレーム１１Ａの底板１１１Ａ（基板）の上面（内面）と上フレーム１１Ｂの下面（内面）とは互いに対向している。下フレーム部１１Ａの底板１１１Ａの上面には、導電性のヒートシンク３、透過型３分割用回折格子６、透過型ホログラム素子７、及び光ディスク（光学記録媒体）からの帰還ビームを上方に向けて反射する反射ミラー１２が取り付けられており、導電性ヒートシンク３の上面にはビームパワーモニタ用のフォトダイオード８が設けられると共に、半導体レーザ素子５が取り付けられている。一方、上フレーム部１１Ｂの下面には、反射ミラー１２で反射された帰還ビームを検出するフォトダイオード４が取り付けられている。
【０００５】
半導体レーザ素子５からのレーザビームの出射方向は下フレーム１１Ａの底板１１１Ａと平行であるｚ軸方向である。また、フォトダイオード４の検出領域は下フレーム部１１Ａと上フレーム部１１Ｂとの対向方向と直交する平面（ｙｚ平面）と略平行に形成されている。
【０００６】
下フレーム部１１Ａには、半導体レーザ素子５に電力を供給する配線部を有するリードフレーム１３１、モニタ用のフォトダイオードからの信号を出力する配線部を有するリードフレーム１３２及びモニタ用のフォトダイオードと半導体レーザ素子５とに共通（例えば、アース用）の配線部を有するリードフレーム１３３が設けられており、該リードフレーム１３１、１３２、１３３は投受光ユニットより外部に突出している。また、リードフレーム１３３は、半導体レーザ素子５より発生した熱を外部に放出する放熱部材としても機能し、下フレーム部１１Ａの側面から外方に突出した放熱部分１３３ａを有する。
【０００７】
また、上フレーム部１１Ｂには、フォトダイオード４の分割された各検出領域からの信号を出力する配線部や、各フォトダイオード４に共通（例えば、アース用）の配線部を有する複数のリードフレーム１４、１４・・・が設けられており、該リードフレーム１４、１４・・・は投受光ユニットより外部に突出している。
【０００８】
透過型ホログラム素子７は、透過型３分割用回折格子６からの３本の主ビームを０次で透過させることが出来、また光記録媒体から反射して戻ってきた３本の帰還ビームを回折格子６の格子面６ａを避けるように左側又は右側（１次又は−１次）に回折させるように構成されている。
【０００９】
また、光ピックアップ装置は、上記の投受光ユニットに接続されるハウジング（図示せず）を有する。ハウジングには透過型ホログラム素子７と光ディスクとの間でレーザ光の光軸方向を上方に変化させる立上げ用反射ミラー及びレーザ光を光ディスクの表面に集光させる対物レンズが取り付けられている。
【００１０】
このような光ピックアップ装置では、半導体レーザ素子５の前端面側から出力されたレーザビームは、透過型３分割用回折格子６で０次ビームと±１次回折ビームの３本のビームに分割された後、透過型ホログラム素子７に入射する。透過型ホログラム素子７を透過した３本のビームは立上げ用反射ミラーで上方に反射された後、対物レンズの集光作用により光ディスクに主スポット、副スポットとして集光される。
【００１１】
光ディスクに主スポット、副スポットとして集光された３本の主ビームは、前記光ディスクで該ディスクに記録されている情報を有する情報信号を含んだ３本の帰還ビームとして反射され、対物レンズを通り、立上げ用反射ミラーで反射された後、透過型ホログラム素子７に入射する。
【００１２】
透過型ホログラム素子７を１次（又は−１次）回折で透過した３本の反射ビームは、透過型３分割回折格子６の回折格子面６ａの右側、若しくは左側を透過した後、反射ミラー１２で上方側に反射されて、フォトダイオード４ｂに入射される。
【００１３】
フォトダイオード４に入射した帰還ビームは、電気信号に変換されてリードフレーム１４、１４・・より出力され、周知の如く光ディスクに記録された情報の再生、トラッキングサーボ、フォーカシングサーボが行われる。
【００１４】
上述のような光ピックアップ装置においては、半導体レーザ素子５から出射されるレーザビームの光軸を対物レンズの中心軸と一致させることが望ましく
、このために、半導体レーザ素子５を下フレーム部１１Ａに取り付ける際、光軸ずれ（角度ずれ、及び位置ずれ）が小さくなるような状態で固定を行う必要がある。
【００１５】
しかしながら、上述した従来の構造の光ピックアップ装置では、半導体レーザ素子５の取り付け角度、取り付け位置を高精度に制御して取り付けることは難しく、歩留まりが悪かった。特に、半導体レーザ素子５から出射されるレーザビームの光軸に水平広がり方向の軸ずれが生じた場合、トラッキング方向へ対物レンズ９を移動させた際における悪影響が大きく、トラッキング制御を良好に行えないという問題があった。また、半導体レーザ素子５を高精度に取り付ける場合、コスト、時間がかかり、量産性に適していなかった。
【００１６】
【発明が解決しようとする課題】
本発明は上記従来例の欠点に鑑み為されたものであり、光源から出射される光束の光軸が所望の位置になるように、容易に位置決めし、光源を基板に取り付けることが出来る光ピックアップ装置、及びそのような光ピックアップ装置を備えた光学記録媒体駆動装置を提供することを目的とするものである。
【００１７】
また、本発明は、出射される光束の光軸が所望の位置になるように光源を容易に取り付けることが出来る光ピックアップ装置の組み立て方法を提供することを目的とするものである。
【００１８】
【課題を解決するための手段】
本発明における第１の発明の光ピックアップ装置は、基板に光源が取り付けられ、該光源から出射された光束を光学記録媒体に向けて出射し、該光学記録媒体からの帰還光束を検出する光ピックアップ装置において、前記基板に固定前に該基板に対して移動調整可能な支持部を設け、該支持部に前記光源を取り付けたことを特徴とする。
【００１９】
このような構成の第１の発明の光ピックアップ装置では、支持部を移動させることにより光源から出射される光束の光軸を最適位置に調整した後、前記支持部を基板に固定することが出来る。
【００２０】
また、本発明における第２の発明の光ピックアップ装置は、基板に光源が取り付けられ、該光源から出射された光束を光学記録媒体に向けて出射し、該光学記録媒体からの帰還光束を検出する光ピックアップ装置において、前記基板に該基板に対して固定前に移動調整可能な支持部を設け、該支持部に前記基板の上面と平行方向に光束が出射するように前記光源を取り付けたことを特徴とする。
【００２１】
このような構成の第２の発明の光ピックアップ装置では、光源から出射される光束の光軸が基板上面に対して平行であり薄形化に適した構成のものにおいて、支持部を移動させることにより光源から出射される光束の光軸を最適位置に調整した後、前記支持部を基板に固定することが出来る。
【００２２】
更に、第２の発明の光ピックアップ装置では、前記支持部は前記基板の上面と直交する方向に延びる軸を中心軸とする回転方向に移動調整可能であることを特徴とする。
【００２３】
この場合、支持部の移動により、光源から出射される光束の光軸を水平広がり角方向において位置調整することが出来る。
【００２４】
また、第２の発明の光ピックアップ装置では、前記支持部は前記基板の上面と平行な方向に移動調整可能であることを特徴とする。
【００２５】
この場合、支持部の移動により、光源の位置を前後左右方向において位置調整することが出来る。
【００２６】
また、第１、第２の発明の光ピックアップ装置では、前記支持部は前記基板の下面側に露出する部分に、該支持部を移動させるための治具が嵌合する部分を有することを特徴とする。
【００２７】
この場合、基板の下面側より支持部の位置を移動調整することが出来る。
【００２８】
また、第１、第２の発明の光ピックアップ装置では、前記支持部上にヒートシンクが取り付けられ、該ヒートシンク上に前記光源が取り付けられいることを特徴とする。
【００２９】
この場合、光源がヒートシンク上に取り付けられている構成のものにおいても、光源から出射される光束の光軸の位置調整を行うことが出来る。
【００３０】
また、第１、第２の発明の光ピックアップ装置では、前記支持部が導電性材料よりなることを特徴とする。
【００３１】
この場合、支持部をアース等の共通線路として利用することが出来る。
【００３２】
また、第１、第２の発明の光ピックアップ装置では、前記支持部が前記基板と同程度若しくは前記基板よりも熱伝導性の高い材料よりなることを特徴とする。
【００３３】
この場合、光源から発生した熱を支持部を通して基板へ放熱することが出来る。
【００３４】
また、第１、第２の発明の光ピックアップ装置では、前記支持部が配線部を有するリードフレームに接していることを特徴とする。
【００３５】
この場合、光源から発生した熱を支持部、リードフレーム部を通して放熱することが出来る。
【００３６】
また、本発明の光学記録媒体駆動装置では、光学記録媒体から光学的に情報を読み出す光学記録媒体駆動装置であって、前記光学記録媒体を回転させる回転駆動部と、前記光学記録媒体に光束を出射し、前記光学記録媒体からの帰還光束を受光する上記第１、第２の発明の光ピックアップ装置とからなることを特徴とする。
【００３７】
このような構成の光学記録媒体駆動装置では、光ピックアップ装置から出射され光束が光学記録媒体の所望の位置に集光するように位置調整することが出来、良好な記録再生が可能となる。
【００３８】
また、本発明における第１の発明の光ピックアップ装置の組み立て方法は、基板に光源が取り付けられ、該光源から出射された光束を光学記録媒体に向けて出射し、該光学記録媒体からの帰還光束を検出する光ピックアップ装置の組み立て方法において、前記光源が取り付けられた支持部を基板に対して移動調整した後、前記支持部を前記基板に固定することを特徴とする。
【００３９】
このような第１の発明の光ピックアップ装置の組み立て方法では、光源から出射される光束の光軸の位置が所望の位置になるように調整された光ピックアップ装置を組み立てることが出来る。
【００４０】
また、本発明における第２の発明の光ピックアップ装置の組み立て方法は、基板に光束が該基板の上面に対して平行に出射するように光源が取り付けられ、該光源から出射された光束を光学記録媒体に向けて出射し、該光学記録媒体からの帰還光束を検出する光ピックアップ装置の組み立て方法において、前記光源が取り付けられた支持部を基板に対して移動調整した後、前記支持部を前記基板に固定することを特徴とする。
【００４１】
このような第２の発明の光ピックアップ装置の組み立て方法では、光源から出射される光束の光軸が基板上面に対して平行であり薄形化に適した構成であり、しかも光源から出射される光束の光軸の位置が所望の位置になるように調整された光ピックアップ装置を組み立てることが出来る。
【００４２】
更に、第２の発明の光ピックアップ装置の組み立て方法では、前記移動調整を前記基板の上面と直交する方向に延びる軸を中心軸とする回転方向に行うことを特徴とする。
【００４３】
この場合、光ピックアップ装置から出射された光束の光軸の位置が水平広がり角方向において位置調整された光ピックアップ装置を組み立てることが出来る。
【００４４】
また、第２の発明の光ピックアップ装置の組み立て方法では、前記移動調整を前記基板の上面と平行な方向に行うことを特徴とする。
【００４５】
この場合、光源の位置が前後左右方向において位置調整された光ピックアップ装置を組み立てることが出来る。
【００４６】
【発明の実施の形態】
以下、図面を参照しつつ本発明の実施の形態について詳細に説明する。
【００４７】
図１は本発明の実施の形態である第１実施例の光ピックアップ装置の分解斜視図、図２は第１実施例の光ピックアップ装置の側断面図、図３は第１実施例の光ピックアップ装置における下フレーム部を上方から観た上面図であり、上述の図１４〜図１６に示した従来の光ピックアップ装置と同一部分には同一符号を付し、その説明は割愛する。
【００４８】
図中、２０は円柱状のレーザ素子支持部であり、該レーザ素子支持部２０の上面中央に突出部２１が形成されている。突出部２１の上面には半導体レーザ素子５が取り付けられた導電性ヒートシンク３が接着固定されている。レー素子支持部２０の下面には、中央に操作治具が挿入される治具孔２２、その周囲に段部２３が形成されている。
【００４９】
下フレーム部１１Ａの底板１１１Ａには、円柱状の取付孔３１が形成されている。下フレーム部１１Ａの下面の取付孔３１周囲には段差３２が形成されている。また、下フレーム部１１Ａに取り付けられているリードフレーム１３３には、取付孔３１の上方位置に該取付孔３１よりも小径の挿入孔１３３１が形成されている。
【００５０】
レーザ素子支持部２０は、突出部２１がリードフレーム１３３の挿入孔１３３１に嵌まるように下フレーム部１１Ａの取付孔３１内に挿入されており、段差２３、３２により形成された凹部にＵＶ硬化樹脂等の接着材４１を挿入することにより下フレーム部１１Ａの底板１１１Ａに接着固定されている。
【００５１】
レーザ素子支持部２０は、下フレーム部１１Ａへの固定前において、底板１１１Ａの上面と直交する方向（ｘ軸方向）に延びる軸を回転軸として回転可能であり、例えば、図４に示されているように、遠視野像測定機６１によりレーザビームの強度分布を測定することにより、半導体レーザ素子５から出射されたレーザビームの光軸ｋ１が所望の設計光軸ｋ０に合致するようにレーザ素子支持部２０を回転移動（図面では矢印ａ方向）させ、水平広がり角方向の位置調整が行われている。
【００５２】
また、レーザ素子支持部２０は、銅や鉄等の下フレーム部１１Ａに比べ、熱伝導性が高く、導電性のある材料により構成されており、半導体レーザ素子５及びフォトダイオード８の接地電極（共通電極）として機能する。また、レーザ素子支持部２０を下フレーム部１１Ａと同じ材料で構成してもよい。
【００５３】
次に、第１実施例の光ピックアップ装置の組み立て方法、特に半導体レーザ素子５の下フレーム部１１Ａへの取り付け工程及び位置調整について説明する。
【００５４】
先ず、図５に示すように、下フレーム部１１Ａの取付孔３１内にレーザ素子支持部２０を挿入する。この時、下フレーム部１１Ａにはリードフレーム１３３が既に取り付けられており、レーザ素子支持部２０の突出部２１はリードフレーム１３３の挿入孔１３３１に嵌まり込む。
【００５５】
次に、図６に示すように、下フレーム部１１Ａを調整用基台６２上に載置し、レーザ素子支持部２０の突出部２１の上面に、ヒートシンク３及び半導体レーザ素子５を取り付ける。尚、この取り付けは、突出部２１の上面にヒートシンク３を取り付けた後、該ヒートシンク３上に半導体レーザ素子５を取り付けてもよいし、予め上面に半導体レーザ素子５が取り付けられているヒートシンク３を突出部２１の上面に取り付けても良い。その後、図示しないが、半導体レーザ素子５及びヒートシンク３上のフォトダイオード８に通電用ワイヤが取り付けられる。
【００５６】
次に、図７に示すように、遠視野像測定機６１によりレーザビームの強度分布を測定することにより、半導体レーザ素子５から出射されたレーザビームの光軸が所望の設計光軸に合致するようにレーザ素子支持部２０を回転移動させ、水平広がり角方向の位置調整が行う。この時、レーザ素子支持部２１の回転移動は、治具６３を調整用基台６２の孔６２ａを通して治具孔２２に挿入し、治具６３を回転させることにより行われる。
【００５７】
次に、図８に示すように、接着剤塗布機６４を用いて接着材４１を調整用基台６２の孔６２ｂ、６２ｃを通して段差２３、３２により形成された凹部に充填し、レーザ素子支持部２０を位置調整された状態で下フレーム部１１Ａの底板１１１Ａに固定する。
【００５８】
次に、図９に示すように、下フレーム部１１Ａ上に透過型ホログラム素子７を取り付ける。
【００５９】
以降は、従来通り、下フレーム部１１Ａに上フレーム部１１Ｂ及びホログラム保持部１１Ｃとを固定し、光ピックアップ装置が完成する。
【００６０】
上述のような第１実施例の光ピックアップ装置では、レーザ素子支持部２０を回転移動させることにより、半導体レーザ素子５から出射されるレーザビームの光軸ｋ１を所望の設計光軸ｋ０に容易に位置調整することが出来る。また、半導体レーザ５が不良になった場合においても、レーザ素子支持部２０を下フレーム部１１Ａから取り外すことにより、容易に半導体レーザ素子５の交換を行うことが出来、下フレーム部１１Ａは無駄にならない。尚、半導体レーザ素子５より発生した熱はレーザ素子支持部２０、嵌合部１３３１を通ってリードフレーム１３３に放熱される。
【００６１】
図１０は本発明の実施の形態である第２実施例の光ピックアップ装置の分解斜視図、図１１は第２実施例の光ピックアップ装置の側断面図、図１２は第２実施例の光ピックアップ装置における半導体レーザ素子の下フレーム部への取り付け状態を示す上面図であり、第１実施例の光ピックアップ装置と同一部分には同一符号を付し、その説明は割愛する。
【００６２】
この第２実施例の光ピックアップ装置では、レーザ素子支持部２０は下面の周囲には側方に突出している鍔部２４が形成されている。
【００６３】
レーザ素子支持部２０は、突出部２１がリードフレーム１３３の挿入孔１３３１に嵌まるように下フレーム部１１Ａの取付孔３１内に挿入され、段差３２により形成された凹部に接着材４１を挿入することにより下フレーム部１１Ａに接着固定されている。この時、取付孔３１の内径はレーザ素子支持部２０の挿入部分の外径よりも大きく形成され、リードフレーム１３３の挿入孔１３３１の内径はレーザ素子支持部２０の突出部２１の外径よりも大きく形成されている。即ち、レーザ素子支持部２０と取付孔３１の内面との間、及びレーザ素子支持部２０と挿入孔１３３１の内面との間には夫々、間隙７１、７２が形成されている。尚、間隙７１と間隙７２との間でレーザ素子支持部２０とリードフレーム１３３とが接しており、半導体レーザ素子５で発生した熱はリードフレーム１３３に放熱される。
【００６４】
これにより、レーザ素子支持部２１は、接着固定前の段階においては、取付孔３１内を第１実施例と同様に回転移動可能であり、且つ底板１１１Ａと平行な面（ｙｚ平面）内においてｙ軸方向及びｚ軸方向に移動可能である。
【００６５】
このような第２実施例の光ピックアップ装置では、レーザ素子支持部２０を回転移動及びｙ軸方向に移動させることにより、半導体レーザ素子５から出射されるレーザビームの光軸を第１実施例よりも高精度に所望の設定光軸に合わせることが出来、トラッキング制御をより高精度に行うことが可能となる。また、レーザ素子支持部２０をｚ軸方向に移動させることにより、レーザビームの焦点位置も調整出来る。
【００６６】
次に、上述の第１実施例或いは第２実施例の光ピックアップ装置を用いた光学記録媒体駆動装置について説明する。図１３に示すように、光学記録媒体駆動装置５０は、光ディスク１を回転駆動させるモータ５５、及び該モータ５５の動作を制御する回転制御系５６を有する。前記光ディスク１の下面側には光ピックアップ装置４０が配置されている。前記光ピックアップ装置４０は、送りモータ５１によって検出位置が前記光学記録媒体１の半径方向に移動される。前記送りモータの動作は送りモータ制御系５２により制御される。更に、前記光ピックアップ装置４０の動作は、光ピックアップ制御系５３により制御され、前記光ピックアップ装置４０からの検出信号は信号処理系５４により制御される。また、前記光学記録媒体駆動装置５０の各処理系の動作はドライブコントローラ５７により制御される。
【００６７】
この光学記録媒体駆動装置５０は、ドライブインターフェース５８を介して記録再生装置に接続され、検出信号に基づいた情報再生処理等が行われる。
【００６８】
上述のような光学記録媒体駆動装置５０は、上述の光ピックアップ装置を用いることにより、光ピックアップ装置４０から出射されたレーザビームは、光ディスク１の所望の位置に精度良く集光されるため、トラッキング制御やフォーカス制御を精度良く行うことが出来、更には記録再生を良好に行うことが出来る。
【００６９】
【発明の効果】
本発明によれば、光源から出射される光束の光軸を所望の位置に容易に位置決めすることが出来る光ピックアップ装置を提供し得る。
【００７０】
また、本発明によれば、出射光束が光軸位置が精度良く調整されており、光学記録媒体の所望の位置に光束を集光させ、良好な記録或いは再生を行うことが出来る光学記録媒体駆動装置を提供し得る。
【００７１】
また、本発明によれば、出射光束の光軸を所望の位置に容易且つ高精度に調整することが出来る光ピックアップ装置の組み立て方法を提供し得る。
【図面の簡単な説明】
【図１】本発明の第１実施例の光ピックアップ装置の構成を示す分解斜視図である。
【図２】本発明の第１実施例の光ピックアップ装置の構成を示す側断面図である。
【図３】本発明の第１実施例の光ピックアップ装置における下フレーム部を上方から観た上面図である。
【図４】本発明の第１実施例の光ピックアップ装置における半導体レーザからの出射ビームの光軸調整を示す図である。
【図５】本発明の第１実施例の光ピックアップ装置の組み立て方法を示す図である。
【図６】本発明の第１実施例の光ピックアップ装置の組み立て方法を示す図である。
【図７】本発明の第１実施例の光ピックアップ装置の組み立て方法を示す図である。
【図８】本発明の第１実施例の光ピックアップ装置の組み立て方法を示す図である。
【図９】本発明の第１実施例の光ピックアップ装置の組み立て方法を示す図である。
【図１０】本発明の第２実施例の光ピックアップ装置の構成を示す分解斜視図である。
【図１１】本発明の第２実施例の光ピックアップ装置の構成を示す側断面図である。
【図１２】本発明の第２実施例の光ピックアップ装置における下フレーム部を上方から観た平面図である。
【図１３】本発明の光ピックアップ装置を用いた光学記録媒体駆動装置の構成を示すブロック図である。
【図１４】従来の光ピックアップ装置の構成を示す斜視図である。
【図１５】従来の光ピックアップ装置の構成を示す分解斜視図である。
【図１６】従来の光ピックアップ装置の構成を示す側断面図である。
【符号の説明】
１  光ディスク（光学記録媒体）
３  ヒートシンク
５  半導体レーザ素子（光源）
１１１Ａ  下フレーム部の底板（基板）
２０  レーザ素子支持部
２２  治具孔
ｋ１  レーザビームの光軸
【図１】
0003639441.tif 000002
【図２】
0003639441.tif 000003
【図３】
0003639441.tif 000004
【図４】
0003639441.tif 000005
【図５】
0003639441.tif 000006
【図６】
0003639441.tif 000007
【図７】
0003639441.tif 000008
【図８】
0003639441.tif 000009
【図９】
0003639441.tif 000010
【図１０】
0003639441.tif 000011
【図１１】
0003639441.tif 000012
【図１２】
0003639441.tif 000013
【図１３】
0003639441.tif 000014
【図１４】
0003639441.tif 000015
【図１５】
0003639441.tif 000016
【図１６】
0003639441.tif 000017